(57)【要約】横編機を用いてボーダー柄を有する筒状編地を編成する際に編糸切換箇所に発生する段差を抑える編成方法を提供することを目的とする。ボーダーの第１色部分を一方向に周回編成し、第２色部分を他方向に周回編成するとともに、第１色、第２色部分の編成の間に、第１色部分の編糸を周回分の境界を越えて隣接する編目を係止する針に給糸してニットループを形成した後、この針に続く針に給糸してタックループを形成してから第２色部分の編糸により前記第１色部分の編糸によって形成されたニットループを係止する針に給糸してこれに続くニットループを形成するステップを挿入する。
2007058091.tif 000002
【特許請求の範囲】
【請求項１】
少なくとも対向する第１針床と第２針床を有する横編機を使用して、前側編地と後側編地が編み幅の側端部で連結された筒状編地に、適宜コース数からなる第１色部分と第２色部分の、少なくとも２色のボーダー柄を有する筒状編地の編成方法において、ボーダーの第１色部分を前側編地から後側編地へ、または後側編地から前側編地へと周回編成する第１ステップ、ボーダーの第２色部分を前記第１色部分と逆向きに周回編成する第２ステップ、を含むとともに、前記第１ステップと第２ステップの間に以下の編成を挿入したことを特徴とする；
ａ）第１色部分の編糸を周回分の境界を越えて隣接する編目を係止する少なくとも１つの針に給糸してニットループを形成した後、この針に続く針に給糸して少なくとも１つ以上のタックループを形成してから第２色部分の編糸により前記第１色部分の編糸によって形成されたニットループを係止する針に給糸して該ニットループに続く新たなニットループを形成するステップ。
【請求項２】
第１色部分の編成と第２色部分の編成が同一のＹＦを用い、スプライサなどの糸交換装置を用いて第１色部分と第２色部分の編糸の切り換えを行うものであり、前記ａ）の編成により糸同士の繋ぎ目部分が筒状編地の裏側に編み込まれることを特徴とする請求項１に記載のボーダー柄を有する筒状編地の編成方法。
【請求項３】
第１色部分の編成と第２色部分の編成が異なるＹＦを用い、ＹＦを切り換えて行うものであり、それぞれのＹＦにより前記ニットループと前記タックループが形成されることを特徴とする請求項１に記載のボーダー柄を有する筒状編地の編成方法。
【請求項４】
周回編成の境界が前後針床の境界に形成されていることを特徴とする請求項１〜３の何れかに記載のボーダー柄を有する筒状編地の編成方法。
【発明の詳細な説明】
【技術分野】
【０００１】
本発明は、横編機を用いてボーダー柄を有する筒状編地を編成する際に編糸切換箇所に発生する段差を抑える編成方法に関する。
【背景技術】
【０００２】
筒状編地にボーダー柄（横縞のストライプ柄）を入れて編成すると編糸切換箇所に段差が発生する。これは編地の外観を損なわせ製品価値を下げる。図４はＡ色（第１色）とＢ色（第２色）の２ケのヤーンフィーダ（以下、単にＹＦという）を用いてＡ色部分７とＢ色部分９からなる２色のボーダー柄を編成する場合の一般的なダイヤグラムを示す。図４及び図５においてＡ色用ＹＦを黒塗りの三角形、Ｂ色用ＹＦを白抜きの三角形で示し、Ｘ−Ｘは前側編地３と後側編地５の左側境界を示す。図４ではＹＦ２ケを編地の左側にセットして時計針方向に周回編成しながら４コース毎に使用するＹＦを切換えてボーダー柄を編成する。この場合には図示するように編糸が切り換わる境界部で段差が生じてしまう。図５は編糸切換箇所での段差を抑えるために採用される編成の一例を示す。ＹＦをそれぞれ編地の左右にセットして、Ｂ色の編糸が左側境界Ｘ−Ｘで切り換えられないようにしてボーダーの境界部で段差が連続的に発生するのを抑えている。【０００３】
本出願人は、段差の発生に対処するために文献１に開示の技術を先に提案している。文献１では編糸切換箇所で少なくとも一方の編地部分の編目をミスさせて該箇所に発生する段差を抑えるとともに編糸切換により発生する渡り糸を含む端糸部分の後処理を軽減する。
【特許文献１】国際公開第ＷＯ０１／６１０９２号パンフレット
【発明の開示】
【発明が解決しようとする課題】
【０００４】
図５による方法は、図４による方法に比べ段差の発生を改善できるが効果は小さく、またＹＦをそれぞれ編地の左右にセットしなければならない。文献１は、図４のダイヤグラム、つまり筒状編地を一方向に向けて周回編成する場合での編糸切換箇所における段差の発生を抑える効果的な対処法を開示しているが、本発明は、文献１とは異なるアプローチにより同様に段差を抑えるうえで効果の大きな編成方法を提供することを目的とする。
【課題を解決するための手段】
【０００５】
本発明では、少なくとも対向する第１針床と第２針床を有する横編機を使用して、前側編地と後側編地が編み幅の側端部で連結された筒状編地に、適宜コース数からなる第１色部分と第２色部分の、少なくとも２色のボーダー柄を有する筒状編地の編成方法において、ボーダーの第１色部分を前側編地から後側編地へ、または後側編地から前側編地へと周回編成する第１ステップ、ボーダーの第２色部分を前記第１色部分と逆向きに周回編成する第２ステップ、を含むとともに、前記第１ステップと第２ステップの間に以下の編成を挿入したことを特徴とする；
ａ）第１色部分の編糸を周回分の境界を越えて隣接する編目を係止する少なくとも１つの針に給糸してニットループを形成した後、この針に続く針に給糸して少なくとも１つ以上のタックループを形成してから第２色部分の編糸により前記第１色部分の編糸によって形成されたニットループを係止する針に給糸して該ニットループに続く新たなニットループを形成するステップ。【０００６】
また第１色部分の編成と第２色部分の編成が同一のＹＦを用い、スプライサなどの糸交換装置を用いて第１色部分と第２色部分の編糸の切り換えを行うものであり、前記ａ）の編成により糸同士の繋ぎ目部分が筒状編地の裏側に編み込まれる。【０００７】
また第１色部分の編成と第２色部分の編成が異なるＹＦを用い、ＹＦを切り換えて行うものであり、それぞれのＹＦにより前記ニットループと前記タックループが形成される。【０００８】
また周回編成の境界が前後針床の境界に形成されている。
【発明の効果】
【０００９】
本発明では、図２に示すような編成のダイヤグラムを基本とする。すなわち編糸の切換箇所を編地の一方としてその都度周回方向の向きをＡ色とＢ色で逆向きにしている。これにより図４のように色の切り換わる部分が境界部で同一コースに並ぶことがなくなる。更に周回方向を逆向きにするので図２における左側のＡ色部分７の最終コースとＢ色部分９の最初のコースは上下に連続するコースを形成する。そのためＡ色部分７の最終コースとＢ色部分９の最初のコースは互いに引き合う。すなわち境界部付近の左側ではＡ色の編目コースは上に引き上げられ、同時にＢ色の編目コースは下に引き下げられるように作用する。この作用により境界部では前側編地３と後側編地５のＡ色部分７の最終コース同士およびＢ色の最初のコース同士は同じ高さに近づき、結果段差の発生を抑えることに寄与する。更に境界部分ではＡ色とＢ色のコース編成の間にＡ色部分７の編糸を周回分の境界を越えて隣接する編目を係止する少なくとも１つの針に給糸してニットループを形成するとともに周回方向を切り換える箇所でタックループを形成してから前記ニットループに続くニットループを第２色部分の編糸で形成するようにして境界部での局部的な変形を吸収するとともにタックにより周回方向の切り換える箇所に孔が開かないようにしているので段差を抑えて外観の美しいボーダー柄を有する筒状編地を得ることができる。【００１０】
またスプライサなどの糸交換装置を用い、糸の繋ぎ目を編地の裏面に編み込みながらボーダーを編成するようにすれば段差の発生だけでなく編成後にボーダー間に延びる渡り糸の手作業による後始末を省略できる。【００１１】
また周回編成の境界を前後針床の境界とすれば編成も簡素化できる。
【図面の簡単な説明】
【００１２】
【図１】本発明の実施例によるボーダー柄を有する筒状編地を示す。
【図２】図４や図５に対応した本実施例のダイヤグラムを示す。
【図３】本実施例の筒状編地の編成ステップを示した図である。
【図４】２色のボーダー柄を編成する場合の一般的なダイヤグラムを示す。
【図５】段差を抑えるためのボーダーの編成の一例を示す。
【符号の説明】
【００１３】
１…筒状編地、３…前側編地、５…後側編地、７…Ａ色部分、９…Ｂ色部分
【発明を実施するための最良の形態】
【００１４】
次に本発明の実施例を図面と共に以下詳細に説明する。【００１５】
図１は、Ａ色とＢ色の２色のボーダー柄を有する筒状編地１を示す。横編機には、図示しないがＡ色用、Ｂ色用の糸パッケージと針床上を往復走行して編針へ給糸するＹＦとの間にスプライサやノッターなどの糸交換装置を設けたものが用いられる。横編機のコントローラは編成データに基づいて所要のタイミングで糸交換装置を作動させて編糸を切り換えることができる。このような横編機とし例えば特許第２８１６７８４号公報（対応特許米国特許５，３６９，６６号、欧州特許０５７４８８１）に記載のものを用いることができる。【００１６】
図２は、先の図５や図６に対応した本実施例の編成のダイヤグラムを示す。但し、図２では糸の切換箇所で付加的に挿入される編成ステップは省略している。Ａ色用ＹＦを黒塗りの三角形、Ｂ色用ＹＦを白抜きの三角形で示し、Ｘ−Ｘは前側編地３と後側編地５の左側境界を示す。ＹＦは編地の左側にセットされる。図では２ケのＹＦを示しているが実際には編糸は糸交換装置により切り換えられるため使用するＹＦは１つのみである。筒状編地１はＡ色部分７とＢ色部分９では周回編成が逆向きにされる。【００１７】
図３は、筒状編地１の編成ステップを詳細に示す。図中の右に示した矢印は編成方向を示す。ＦＢは前針床，ＢＢは後針床を、Ａ〜Ｌは前針床の針、ａ〜ｌは後針床の針をそれぞれ示す。筒状編地１を構成する前側編地３は前針床ＦＢの針で、後側編地５は後針床ＢＢの針で平編み組織として編成される。説明の便宜のため編成に使用する針数を実際よりも少なくした。【００１８】
筒状編地１のＡ色部分７は、右行きで後側編地５、左行きで前側編地３を編むように時計針方向に周回編成する。一方、Ｂ色部分９はＡ色部分７とは反対向きの反時計針方向に周回編成して右行きで前側編地３、左行きで後側編地５を編む。ステップ１〜４がＡ色部分７の編成を示し、ステップ７〜１０がＢ色部分９の編成を示す。ステップ５，６とステップ１１，１２は、ともにＡ色／Ｂ色の編糸の切り換え箇所での編成ステップを示し、Ａ色／Ｂ色の糸の繋ぎ目（色の変わり目）部分が編地の表に現れないようにするために糸を引き出して後側編地５内に編み込むとともに色の変わり目で発生する段差を目立たなくするための編成が同時に行われる。ステップ１３以降にＢ色部分９に続くＡ色部分７の編成を示すが、この実施例ではＡ色とＢ色とでなるボーダーの編成が繰り返し行われるようにステップ１２の編成後にステップ１へとジャンプするサイクル（３）を設定している。サイクル（１）はＡ色部分７、サイクル（２）はＢ色部分９のコース数を調整するためのものである。【００１９】
以下図３の編成について説明する。ステップＳは筒状編地１の針床上での係止状態を示し、前針床ＦＢの針Ａ〜Ｌに前側編地３、後針床ＢＢの針ａ〜ｌに後側編地５が係止される。ステップ１でＹＦを右向きに移動して筒状編地１のＡ色部分７の後側編地５のコース編成を行い、続くステップ２でＹＦを左向きに移動して同部分の前側編地３のコース編成を行う。ステップ３，４はステップ１，２と同様の編成を示す。Ａ色部分７はサイクル（１）を２回繰り返して４コース分の周回コースが形成される。【００２０】
次にＡ色からＢ色に切り換えるためにステップ５ではＹＦを右に移動させて後針床ＢＢの針ａでニットし、続く針ｃ，ｅでタックする。ステップ６ではＹＦを左に移動して針ｄ，ｂでタック、針ａでニットする。ステップ５，６を行う意義は、境界部で色が正確に、且つ段差を抑えて切り換えることにあり、このステップの間でＹＦから糸の繋ぎ目が引き出され、繋ぎ目部分が筒状編地１の内側に編み込まれる。すなわち、繋ぎ目部分はステップ５，６のタック区間内に位置することになる。糸交換装置としてスプライサを使えば編地編成後の糸始末を省略できる。この例ではタックを４針で行ったが、繋ぎ目の位置をより正確に制御できる場合は更にタックの本数を少なくできる。逆に制御がラフな場合はタックの本数を増やして誤差を吸収すればよい。またタック以外の方法で誤差を吸収するようにしてもよい。【００２１】
続くステップ７でＢ色部分９の前側編地３のコース編成を行い、続くステップ８で後側編地５のコース編成を行う。ステップ９，１０はステップ７，８と同様の編成を示す。次にボーダーの色を再度切り換えるためにステップ１１ではＹＦを右に移動させて前針床ＦＢの針Ａでニットするとともに針Ｃ，Ｅにタックする。ステップ１２では針Ｄ，Ｂでタック、針Ａでニットする。これらも先のステップ５，６と同じ考え方が適用される。このＢ色部分９もサイクル（２）を２回繰り返して４コースの周回コースが形成される。【００２２】
上記実施例では、ステップ５，６及びステップ１１，１２の編成により、それぞれ後針床ＢＢの針ａと前針床ＦＢの針Ａでは他の針に比べて多くの編目が形成されることになるが、これは境界部での変形を吸収し、境界部に生じる段差を抑えて略水平にする。また上記に限らず複数本の針でニットループを形成することも可能であるが、境界部に生じる段差を抑え、外観を美しくするには針１本に対して行なうのが好ましい。【００２３】
上記実施例では、スプライサ等の糸交換装置を用いた例を示したが、これに代えて通常のようにＡ色用のＹＦ、Ｂ色用のＹＦの２つのＹＦを用いてそれぞれを切り換えながら編成することも当然可能である。【００２４】
また上記実施例では、筒状編地を構成する前側編地と後側編地の境界、針床上で言えば編み幅の側端部に編糸切換箇所を配置させた場合を示したが、編糸切換箇所は必ずしも編み幅の側端部とは限らず、例えば前側編地の中央部分に配置させて本発明の編成方法を行うことも当然できる。その場合、その境界の位置に応じて各ステップの編成を左右方向にシフトさせて行うようにすればよい。【００２５】
また筒状編地内にストライプが頻繁に繰り返されるような場合には、その都度編糸切換箇所の位置をシフトさせて同じ針で段差を目立たなくするためのミスやタック編成が繰り返されないようにして該部分の編目コース数が他のウエールよりも極端に少なくならないようにすることが好ましい。
【図１】
2007058091.tif 000003
【図２】
2007058091.tif 000004
【図３】
2007058091.tif 000005
【図４】
2007058091.tif 000006
【図５】
2007058091.tif 000007
【国際調査報告】
2007058091.tif 000008
2007058091.tif 000009
2007058091.tif 000010
2007058091.tif 000011